(57)【要約】      （修正有）【課題】首廻りでの隙間をなくすために付けられた切込溝での裂損や解れをなくすと共に、足元を温かく保つことの出来る温ったか経編パイル毛布を提供する。【解決手段】切込溝の溝縁１４を含む経編パイル毛布地の周縁を縁取りテープ１６で縁取る。溝縁と溝縁が交わる切込溝の奥部１８を通って上縁に平行に飾りテープ１７を毛布本体に縫合する。下縁部を裏側に折り返し、その重なり合う折返代の左右の側縁と毛布本体の側縁を縫合し、敷布団の下縁部を包み込むのに必要な深さが４０〜６０ｃｍの敷布団用包袋を下縁部に形成する。飾りテープ１７や縁取りテープ１６には経編パイル布帛をそのウェール方向を長さ方向に向けて適用する。そのパイル繊維には絹や木綿等の吸湿性繊維を適用し、その単糸繊度（ｄ1 ）を毛布本体のパイル繊維１１の単糸繊度（ｄ2 ）の＋２ｄｔｅｘ以下（ｄ1 ≦ｄ2 ＋２ｄｔｅｘ）にするとよい。【選択図】図６
0003103688.tif 000002
【実用新案登録請求の範囲】
【請求項１】
（ａ）  片面経編パイル布帛の基布（１２）の裏面を起毛してパイル面のパイル繊維（１１）の一部を掻き出して成る両面パイル布帛によって構成された経編パイル毛布において、
（ｂ）  経編パイル毛布が縦長になっており、経編パイル毛布のウェール方向が長さ方向（Ｌ）に向けられ、そのコース方向が幅方向（Ｗ）に向けられており、その長さ方向（Ｌ）の端縁である上縁の中央部に切り込まれた切込溝（１３）が付けられており、
（ｃ）  その切込溝の向かい合う溝縁（１４）と溝縁（１４）との距離が５ｃｍ以下であり、
（ｄ）  それらの溝縁（１４・１４）を含む上縁と下縁が、経編布帛に成り、折り畳まれて二重になったＵ字形溝（１５）を形成している縁取りテープ（１６）の当該Ｕ字形溝に包み込まれて縁取られており、
（ｅ）  経編布帛に成る飾りテープ（１７）が、上記切込溝の向かい合う溝縁と溝縁が交わる切込溝の奥部（１８）を通って上縁に平行に毛布本体（２２）に縫合され、
（ｆ）  その切込溝の奥部（１８）において、縁取りテープ（１６）が飾りテープ（１７）に覆われ、それらの縁取りテープと飾りテープが縫合されて一体になっており、
（ｇ）  下縁部が裏側に折り返され、その折り返されて重なり合う折返代（１９）の左右の側縁と毛布本体の側縁が縫合されており、
（ｈ）  その折返代（１９）の寸法（Ｄ）が４０〜６０ｃｍであり、その折返代が下縁部に敷布団（２４）の下縁部を包み込むのに必要な深さ４０〜６０ｃｍの敷布団用包袋（２０）を構成しており、
（ｉ）  その折返代（１９）の側縁を含む経編パイル毛布全体の左右の側縁が、経編布帛に成り、折り畳まれて二重になったＵ字形溝を形成している縁取りテープ（１６）の当該Ｕ字形溝に包み込まれて縁取られていることを特徴とする経編パイル毛布。
【請求項２】
（ａ）  片面経編パイル布帛の基布（１２）の裏面を起毛してパイル面のパイル繊維（１１）の一部を掻き出して成る両面パイル布帛によって構成された経編パイル毛布において、
（ｂ）  経編パイル毛布が縦長になっており、経編パイル毛布のウェール方向が長さ方向（Ｌ）に向けられ、そのコース方向が幅方向（Ｗ）に向けられており、その長さ方向（Ｌ）の端縁である上縁の中央部に切り込まれた切込溝（１３）が付けられており、
（ｃ）  その切込溝の向かい合う溝縁（１４）と溝縁（１４）との距離が５ｃｍ以下であり、
（ｄ）  それらの溝縁（１４・１４）を含む上縁と下縁が、経編布帛に成り、折り畳まれて二重になったＵ字形溝（１５）を形成している縁取りテープ（１６）の当該Ｕ字形溝に包み込まれて縁取られており、
（ｅ）  経編布帛に成る飾りテープ（１７）が、上記切込溝の向かい合う溝縁と溝縁が交わる切込溝の奥部（１８）を通って上縁に平行に毛布本体（２２）に縫合され、その飾りテープ（１７）のウェール方向と毛布本体（２２）のウェール方向とが直交しており、
（ｆ）  その切込溝の奥部（１８）において、縁取りテープ（１６）が飾りテープ（１７）に覆われ、それらの縁取りテープと飾りテープが縫合されて一体になっており、
（ｉ′）  経編パイル毛布の左右の側縁が、経編布帛に成り、折り畳まれて二重になったＵ字形溝を形成している縁取りテープ（１６）の当該Ｕ字形溝に包み込まれて縁取られていることを特徴とする経編パイル毛布。
【請求項３】
（ａ）  片面経編パイル布帛の基布（１２）の裏面を起毛してパイル面のパイル繊維（１１）の一部を掻き出して成る両面パイル布帛によって構成された経編パイル毛布において、
（ｄ′）  上縁と下縁が、経編布帛に成り、折り畳まれて二重になったＵ字形溝（１５）を形成している縁取りテープ（１６）の当該Ｕ字形溝に包み込まれて縁取られており、
（ｇ）  下縁部が裏側に折り返され、その折り返されて重なり合う折返代（１９）の左右の側縁と毛布本体の側縁が縫合されており、
（ｈ）  その折返代（１９）の寸法（Ｄ）が４０〜６０ｃｍであり、その折返代が下縁部に敷布団（２４）の下縁部を包み込むのに必要な深さ４０〜６０ｃｍの敷布団用包袋（２０）を構成しており、
（ｊ）  上縁部が表側に折り返されており、その折返代（２１）の寸法（Ｈ）が７〜１５ｃｍであり、
（ｋ）  その折り返され縁取りテープ（１６）に縁取られている上縁が毛布本体（２２）に縫合され、重なり合う折返代（２１）と毛布本体（２２）の間に幅方向に続く帯状空洞（２３）が形成されており、
（ｉ′）  折返代（１９）と（２１）の側縁を含む経編パイル毛布全体の左右の側縁が、経編布帛に成り、折り畳まれて二重になったＵ字形溝を形成している縁取りテープ（１６）の当該Ｕ字形溝に包み込まれて縁取られていることを特徴とする経編パイル毛布。
【考案の詳細な説明】
【技術分野】
【０００１】
本考案は、片面経編パイル布帛の基布の裏面を起毛してパイル面のパイル繊維の一部を掻き出して成る両面パイル布帛によって構成され、ニューマイヤーとも称される経編パイル毛布に関するものである。
【背景技術】
【０００２】
使用時に敷布団との間に出来る首廻りでの隙間をなくすために、上縁の中央部をＵ字状に切り取ってＵ字状切欠きを形成した毛布は公知である（例えば、特許文献１と２参照）。
同様に、使用時に敷布団との間に出来る首廻りでの隙間をなくすために、上縁の中央部を縦長に切り込んで切込溝を付けた毛布も公知である（例えば、特許文献３参照）。
【特許文献１】特開２００２−０００４２０号公報
【特許文献２】特開２００１−０１７２９４号公報
【特許文献３】特開２００３−２３５７０６号公報
【考案の開示】
【考案が解決しようとする課題】
【０００３】
上縁の中央部にＵ字状切欠きを設けた毛布では、使用時に首廻りでの隙間をなくすのには不十分であり、使用時に首廻りでの隙間をなくすには、上縁の中央部に縦長の切込溝を設けることが望ましい。しかし、長さ方向にウェール方向を向け、幅方向にコース方向を向けて縦長に構成される経編パイル毛布では、その長さ方向では、地経糸がウェール方向に一直線状に鎖編み目を形成しているので引張強度が強く強度的に安定しているが、その幅方向では、地経糸がコース方向に連続せず、ウェール方向にジグザグに続く挿入糸によって地経糸の構成する鎖編み目列と鎖編み目列の間が連結されているだけなので、幅方向での引張強度は長さ方向に比して弱い。このため経編パイル毛布の上縁に縦長の切込溝を付けるときは、その幅方向に使用時に作用する張力によって、その切欠溝の左右の溝縁が交わる奥部が引き裂かれ易く解れ易い。
【０００４】
そこで本考案は、そのように首廻りでの隙間をなくすために上縁に縦長に付けられた切込溝の奥部での裂損や解れをなくすことを目的とする。本考案の他の目的は、寝返りを打つときでも擦れ移動せず、足元での位置が安定し、足元において敷布団との間に隙間が出来ず、足元を温かく保つことの出来る襟元・足元温ったか毛布を提供することにある。
【課題を解決するための手段】
【０００５】
本考案に係る経編パイル毛布は、（ａ）  片面経編パイル布帛の基布１２の裏面を起毛してパイル面のパイル繊維１１の一部を掻き出して成る両面パイル布帛によって構成され、
（ｂ）  経編パイル毛布が縦長になっており、経編パイル毛布のウェール方向が長さ方向（Ｌ）に向けられ、そのコース方向が幅方向（Ｗ）に向けられており、その長さ方向（Ｌ）の端縁である上縁の中央部に切り込まれた切込溝１３が付けられており、
（ｃ）  その切込溝の向かい合う溝縁１４と溝縁１４との距離が５ｃｍ以下であり、
（ｄ）  それらの溝縁１４・１４を含む上縁と下縁が、経編布帛に成り、折り畳まれて二重になったＵ字形溝１５を形成している縁取りテープ１６の当該Ｕ字形溝に包み込まれて縁取られており、
（ｅ）  経編布帛に成る飾りテープ１７が、上記切込溝の向かい合う溝縁と溝縁が交わる切込溝の奥部１８を通って上縁に平行に毛布本体２２に縫合され、
（ｆ）  その切込溝の奥部１８において、縁取りテープ１６が飾りテープ１７に覆われ、それらの縁取りテープと飾りテープが縫合されて一体になっており、
（ｇ）  下縁部が裏側に折り返され、その折り返されて重なり合う折返代１９の左右の側縁と毛布本体の側縁が縫合されており、
（ｈ）  その折返代１９の寸法（Ｄ）が４０〜６０ｃｍであり、その折返代が下縁部に敷布団２４の下縁部を包み込むのに必要な深さ４０〜６０ｃｍの敷布団用包袋２０を構成しており、
（ｉ）  その折返代１９の側縁を含む経編パイル毛布全体の左右の側縁が、経編布帛に成り、折り畳まれて二重になったＵ字形溝を形成している縁取りテープ１６の当該Ｕ字形溝に包み込まれて縁取られていることを第１の特徴とする。
【０００６】
本考案に係る経編パイル毛布の第２の特徴は、（ａ）  片面経編パイル布帛の基布１２の裏面を起毛してパイル面のパイル繊維１１の一部を掻き出して成る両面パイル布帛によって構成され、
（ｂ）  経編パイル毛布が縦長になっており、経編パイル毛布のウェール方向が長さ方向（Ｌ）に向けられ、そのコース方向が幅方向（Ｗ）に向けられており、その長さ方向（Ｌ）の端縁である上縁の中央部に切り込まれた切込溝１３が付けられており、
（ｃ）  その切込溝の向かい合う溝縁１４と溝縁１４との距離が５ｃｍ以下であり、
（ｄ）  それらの溝縁１４・１４を含む上縁と下縁が、経編布帛に成り、折り畳まれて二重になったＵ字形溝１５を形成している縁取りテープ１６の当該Ｕ字形溝に包み込まれて縁取られており、
（ｅ）  経編布帛に成る飾りテープ１７が、上記切込溝の向かい合う溝縁と溝縁が交わる切込溝の奥部１８を通って上縁に平行に毛布本体２２に縫合され、その飾りテープ１７のウェール方向と毛布本体２２のウェール方向とが直交しており、
（ｆ）  その切込溝の奥部１８において、縁取りテープ１６が飾りテープ１７に覆われ、それらの縁取りテープと飾りテープが縫合されて一体になっており、
（ｉ′）  経編パイル毛布の左右の側縁が、経編布帛に成り、折り畳まれて二重になったＵ字形溝を形成している縁取りテープ１６の当該Ｕ字形溝に包み込まれて縁取られている点にある。
【０００７】
本考案に係る経編パイル毛布の第３の特徴は、（ａ）  片面経編パイル布帛の基布１２の裏面を起毛してパイル面のパイル繊維１１の一部を掻き出して成る両面パイル布帛によって構成され、
（ｄ′）  上縁と下縁が、経編布帛に成り、折り畳まれて二重になったＵ字形溝１５を形成している縁取りテープ１６の当該Ｕ字形溝に包み込まれて縁取られており、
（ｇ）  下縁部が裏側に折り返され、その折り返されて重なり合う折返代１９の左右の側縁と毛布本体の側縁が縫合されており、
（ｈ）  その折返代１９の寸法（Ｄ）が４０〜６０ｃｍであり、その折返代が下縁部に敷布団２４の下縁部を包み込むのに必要な深さ４０〜６０ｃｍの敷布団用包袋２０を構成しており、
（ｊ）  上縁部が表側に折り返されており、その折返代２１の寸法（Ｈ）が７〜１５ｃｍであり、
（ｋ）  その折り返され縁取りテープ１６に縁取られている上縁が毛布本体２２に縫合され、重なり合う折返代２１と毛布本体２２の間に幅方向に続く帯状空洞２３が形成されており、
（ｉ′）  折返代１９と２１の側縁を含む経編パイル毛布全体の左右の側縁が、経編布帛に成り、折り畳まれて二重になったＵ字形溝を形成している縁取りテープ１６の当該Ｕ字形溝に包み込まれて縁取られている点にある。
【０００８】
本考案に係る経編パイル毛布の第４の特徴は、上記第１と第２の何れかの特徴に加えて、全幅（Ｗ）が１３５〜１４５ｃｍで概して１４０ｍ前後であり、全長（Ｌ）が２２０〜２４０ｃｍで概して２３０ｍ前後であり、切込溝１３の切込深さ（Ｅ）が２０〜４０ｃｍで概して３０ｃｍ前後になっている点にある。
【０００９】
本考案に係る経編パイル毛布の第５の特徴は、上記第３の特徴に加えて、全幅（Ｗ）が１３５〜１４５ｃｍで概して１４０ｍ前後であり、全長（Ｌ）が１９０〜２１０ｃｍで概して２００ｍ前後であり、切込溝１３の切込深さ（Ｅ）が２０〜４０ｃｍで概して３０ｃｍ前後になっている点にある。
【００１０】
本考案に係る経編パイル毛布の第６の特徴は、上記第１と第２と第３と第４と第５の何れかの特徴に加えて、飾りテープ１７や縁取りテープ１６に経編パイル布帛がウェール方向を長さ方向に向けて適用されており、そのパイル繊維には絹、木綿、レーヨンその他の吸湿性繊維が適用され、その単糸繊度（ｄ1 ）が毛布本体のパイル繊維１１の単糸繊度（ｄ2 ）の＋２ｄｔｅｘ以下（ｄ1 ≦ｄ2 ＋２ｄｔｅｘ）になっている点にある。
【考案の効果】
【００１１】
本考案（請求項１と２）によると、経編布帛に成る飾りテープ１７が溝縁と溝縁の交わる切込溝の奥部１８を通って上縁に平行に毛布本体２２に縫合され、その飾りテープの編糸が飾りテープ１７の長さ方向に連続しているので、経編パイル毛布のウェール方向が長さ方向（Ｌ）に向けられ、そのコース方向が幅方向（Ｗ）に向けられており、経編パイル毛布の基布１２を構成している地経糸や挿入糸が毛布本体２２の長さ（縦）方向に連続し、幅（横）方向に連続していなくとも、左右の溝縁間１４・１４を引き離す幅方向に作用する張力に対し、その方向に連続している飾りテープ１７の編糸が強い抗力を発揮し、切込溝の奥部１８での引裂・裂傷や解れ出しが回避される。そして飾りテープ１７が毛布本体の基布１２と同様に編組織によって構成され、その編糸がニードルループとシンカーループを形成してジグザグに折れ曲がって飾りテープ１７の長さ方向（即ち、毛布本体の幅方向）に連続して可撓になっているので、飾りテープ１７との伸縮性の相違によって毛布本体が幅方向に引きつられて波打ち皺が発生するようなことはなく、飾りテープ１７によって毛布本体の可撓性や感触が損なわれることはない。
【００１２】
本考案（請求項１と３）によると、敷布団２４の下縁部が経編パイル毛布の敷布団用包袋２０に包み込まれ、経編パイル毛布の下縁部が敷布団２４によって安定に保たれ、その深さ（Ｄ）を４０〜６０ｃｍとしたので差し込んだ敷布団２４から敷布団用包袋２０が外れることがなく、寝相の悪い人でも、又、寝返りを打った際にも毛布と敷布団の間に隙間が出来ず、足元が温かく保たれ、従って、特に冷え症の人に好適な襟元・足元温ったか経編パイル毛布が得られる。
【００１３】
本考案（請求項３）では、敷布団用包袋２０において折り返され縁取りテープ１６に縁取られている上縁が毛布本体２２に縫合され、重なり合う折返代２１と毛布本体２２の間に幅方向（Ｗ）に続く帯状空洞２３が形成されており、襟元で経編パイル毛布の上縁が垂れ下がり易く、襟元で経編パイル毛布と敷布団の間に隙間が出来難く、襟元の温かい経編パイル毛布が得られる。
【考案を実施するための最良の形態】
【００１４】
従って、襟元を温かくするには、上縁の中央部に切込溝１３を付けると共に、飾りテープ１７の部分から突き出た切込溝の左右の舌片２５を折り返し、その折り返された舌片２５の上縁を毛布本体２２に縫合し、その舌片２５を二重にするとよい。
【００１５】
切込溝の奥部１８の補強のためには、飾りテープ１７を表側だけではなく裏側にも取り付けるとよい（図６）。飾りテープ１７や縁取りテープ１６には、毛布本体と同様に、経編パイル布帛を、その地経糸（鎖編み目列）の連続する方向、即ちウェール方向を飾りテープ１７や縁取りテープ１６の長さ方向に向けて使用するとよい。その飾りテープや縁取りテープ用の経編パイル布帛は、毛布本体２２の経編パイル布帛とは異なり片面パイル布帛とし、そのパイル長は５ｍｍ以下にするとよい。好ましくは、飾りテープや縁取りテープのパイル繊維には、絹、木綿、レーヨンその他の吸湿性繊維を用い、その単糸繊度（ｄ1 ）を毛布本体のパイル繊維１１の単糸繊度（ｄ2 ）の＋２ｄｔｅｘ以下（ｄ1 ≦ｄ2 ＋２ｄｔｅｘ）、更に好ましくは、毛布本体のパイル繊維の単糸繊度以下（ｄ1 ≦ｄ2 ）とする。そうすると、縁取りテープや飾りテープ１６・１７の感触が毛布本体２２の感触に似たものとなり、その間に違和感がなく、肌触りのよい襟元・足元温ったか経編パイル毛布が得られる。
【００１６】
切込溝１３から首を出し、両肩を舌片２５で包んで敷布団２４との間に隙間をつくらず、襟元を温かく保つには、切込溝１３の切込深さ（Ｅ）を２０〜４０ｃｍ（３０ｃｍ前後）とし、舌片２５の周縁に到る経編パイル毛布の全長（Ｌ）を２２０〜２４０ｃｍにする。足元が窮屈にならず、敷布団用包袋２０が寝返りの妨げとならないようにするために、経編パイル毛布の幅（Ｗ）を１４０ｃｍとし、敷布団２４の下縁部を包み込んでも敷布団２４の左右に経編パイル布帛の側縁が２０ｃｍ前後食み出し、足を差し込んでも自由に動かせる程度に十分な余裕を敷布団用包袋２０にもたせる（図１と図９）。
【図面の簡単な説明】
【００１７】
【図１】本考案（請求項１）に係る経編パイル毛布の使用状態での斜視図である。
【図２】図１に図示した経編パイル毛布の表面斜視図である。
【図３】図２に図示した経編パイル毛布の裏面断面斜視図である。
【図４】本考案（請求項２）に係る経編パイル毛布の表面斜視図である。
【図５】図４に図示した経編パイル毛布の裏面断面斜視図である。
【図６】図４に図示した経編パイル毛布の要部拡大断面斜視図である。
【図７】本考案（請求項３）に係る経編パイル毛布の表面斜視図である。
【図８】図７に図示した経編パイル毛布の裏面断面斜視図である。
【図９】本考案（請求項１と２）に係る経編パイル毛布の使用状態での要部断面側面図である。
【符号の説明】
【００１８】
１１：パイル繊維
１２：基布
１３：切込溝
１４：溝縁
１５：Ｕ字形溝
１６：縁取りテープ
１７：飾りテープ
１８：奥部
１９：折返代
２０：包袋
２１：折返代
２２：毛布本体
２３：帯状空洞
２４：敷布団
２５：舌片
【図１】
0003103688.tif 000003
【図２】
0003103688.tif 000004
【図３】
0003103688.tif 000005
【図４】
0003103688.tif 000006
【図５】
0003103688.tif 000007
【図６】
0003103688.tif 000008
【図７】
0003103688.tif 000009
【図８】
0003103688.tif 000010
【図９】
0003103688.tif 000011